(57)【特許請求の範囲】
【請求項１】
液体が収容される収容空間が形成された水筒本体と、
前記水筒本体の上部に結合して前記液体を外部に排出させるふたと、
を含み、
前記ふたは、
前記水筒本体上部のふた結合管と結合される本体結合管と、
前記本体結合管の上部に設けられ、前記液体を外部に排出させる液体排出管と、
前記本体結合管の内部に設けられ、前記水筒本体の収容空間に収容される第１種類水筒の第１排出口に結合して前記第１種類水筒に収容された第１補助液体を前記液体排出管にガイドする内部結合管と、
を含み、
前記内部結合管と前記本体結合管との間に設けられ、第２種類水筒の第２排出口に結合して前記第２種類水筒に収容された第２補助液体を前記液体排出管にガイドする中間結合管をさらに含むことを特徴とする多用途水筒。
【請求項２】
前記第１種類水筒は、ミネラルウォーターボトル、炭酸飲料ボトル、果汁飲み物ボトルのいずれか１つであり、
前記第２種類水筒は、前記第１種類水筒の第１排出口よりも大きい直径を有する第２排出口を有するミネラルウォーターボトル、スポーツドリンクボトル、果汁飲み物ボトルのいずれか１つであることを特徴とする請求項１に記載の多用途水筒。
【請求項３】
前記内部結合管は、
内側壁面に沿って形成されて前記第１種類水筒の第１排出口と螺合される第３ネジ山と、
上面と水平に一定の面積形成されて前記ふた結合管の下面に固定結合される本体結合面と、
前記本体結合面に貫通形成されて前記第１補助液体を前記液体排出管にガイドする上部排出口と、
を含み、
前記中間結合管は、
前記内部結合管の下端部が固定され、前記上部排出口と連通して形成される下部排出口が貫通形成される結合管結合面と、
内側壁面に沿って形成されて前記第２種類水筒の第２排出口と螺合される第５ネジ山を含むことを特徴とする請求項２に記載の多用途水筒。
【発明の詳細な説明】
【技術分野】
【０００１】
本発明は多用途水筒に関し、より詳しくは、サイズの異なる様々な種類のボトルを内部に収容して使用できる多用途水筒に関する。
【背景技術】
【０００２】
人の余暇に対する関心が高まることに伴って、運動や旅行、登山、釣り、ゴルフ、サイクル、インラインなどの野外活動を楽しむ人口が多くなってきた。このように屋外で活動する人、又は建設や工事現場、農耕地などで勤めている人はのどの渇きを感じるとき水を容易に手に入れる方法がないため、ミネラルウォーターやスポーツドリンクを購入したり、水筒に水を入れて携帯する。
【０００３】
従来における携帯用水筒の一例が韓国登録実用新案第２０−０３９９１９６号公報「携帯用水筒」に開示されている。
【０００４】
図１は、従来におけるスポーツボトル１０と第１種類ボトル２０及び第２種類ボトル３０を示す例示図である。図に示すように、従来におけるスポーツボトル１０は、水が収容される水筒本体１１と、水筒本体１１に結合して用いられる水筒ふた１３で備えられている。
【０００５】
ところで、従来におけるスポーツボトル１０は繰り返し使用することになると、水筒ふた１３の内部に水垢がたまって、これを頻繁に洗浄して使用しなければならない不便があり、非衛生的な問題がある。
【０００６】
一方、サイクルのような運動をする場合、サイクルに装着できる専用サイズのスポーツボトル１０を使用する。ここで、専用スポーツボトル１０に収容された水を全て飲むと、運動者はミネラルウォーターやスポーツドリンクを購入することになる。しかし、この場合、ミネラルウォーターが収容されている第１種類ボトル２０とスポーツドリンクが収容されている第２種類ボトル３０はスポーツボトル１０とサイズが互いに異なることから、サイクルに装着できない問題がある。ここで、運動者は、第１種類ボトル２０又は第２種類ボトル３０に入っているミネラルウォーター又はスポーツドリンクをスポーツボトル１０に注いで飲むようになる。
【０００７】
ところで、スポーツボトル１０に収容された水又は飲み物を飲んで、そこにミネラルウォーター又は他の種類のスポーツドリンクを注いで飲む場合、味が混合したり非衛生的な問題がある。
【発明の概要】
【発明が解決しようとする課題】
【０００８】
本発明の目的は上述した問題を解決するためのもので、水筒内部に互いに異なる種類の水筒を収容して飲用できる多用途水筒を提供することにある。
【０００９】
本発明の他の目的は、互いに異なる種類の水筒を１つのふたに結合して使用できる多用途水筒を提供することにある。
【００１０】
本発明の前記目的と様々な長所は、この技術分野に熟練した人々によって本発明の好適な実施形態から明確になるだろう。
【課題を解決するための手段】
【００１１】
本発明の目的は多用途水筒によって達成し得る。本発明の多用途水筒は、液体が収容される収容空間が形成された水筒本体と、前記水筒本体の上部に結合して前記液体を外部に排出させるふたとを含み、前記ふたは、前記水筒本体上部のふた結合管と結合される本体結合管と、前記本体結合管の上部に設けられ、前記液体を外部に排出させる液体排出管と、前記本体結合管の内部に設けられ、前記水筒本体の収容空間に収容される第１種類水筒の第１排出口に結合して前記第１種類水筒に収容された第１補助液体を前記液体排出管にガイドする内部結合管とを含むことを特徴とする。
【００１２】
一実施形態によると、前記内部結合管と前記本体結合管との間に設けられ、第２種類水筒の第２排出口に結合して前記第２種類水筒に収容された第２補助液体を前記液体排出管にガイドする中間結合管をさらに含み得る。
【００１３】
一実施形態によると、前記第１種類水筒は、ミネラルウォーターボトル、炭酸飲料ボトル、果汁飲み物ボトルのいずれか１つであり、前記第２種類水筒は、前記第１種類水筒の第１排出口よりも大きい直径を有する第２排出口を有するミネラルウォーターボトル、スポーツドリンクボトル、果汁飲み物ボトルのいずれか１つであり得る。
【００１４】
一実施形態によると、前記内部結合管は、内側壁面に沿って形成されて前記第１種類水筒の第１排出口と螺合される第３ネジ山と、上面と水平に一定の面積形成されて前記ふた結合管の下面に固定結合される本体結合面と、前記本体結合面に貫通形成されて前記第１補助液体を前記液体排出管にガイドする上部排出口とを含み、前記中間結合管は、前記内部結合管の下端部が固定され、前記上部排出口と連通して形成される下部排出口が貫通形成される結合管結合面と、内側壁面に沿って形成されて前記第２種類水筒の第２排出口と螺合される第５ネジ山を含み得る。
【発明の効果】
【００１５】
本発明に係る多用途水筒は、水筒本体の内部に収容された液体をユーザが飲用できるだけではなく、他の種類の液体が収容された第１種類ボトル又は第２種類ボトルを内部に収容して飲用し得る。
【００１６】
ここで、１つのふたが第１種類ボトルと第２種類ボトルに全て結合されることができて使用が手軽になる。また、水筒本体の内部に第１種類ボトルと第２種類ボトルを収容して保管でき、既存に水筒本体の内部に残留している液体と第１種類ボトルと第２種類ボトルの補助液体が混合しないため衛生的に保管し得る。
【００１７】
また、サイクルのようにスポーツ活動をする場合、ホルダに適するように製造された多用途水筒の内部にサイズの異なる第１種類ボトルと第２種類ボトルが収容されるため、ユーザは安定的に運動して様々な種類の飲み物を飲用し得る。
【図面の簡単な説明】
【００１８】
【図１】従来におけるスポーツ水筒とミネラルウォーターボトル及びスポーツドリンクボトルの構成を示す例示図である。
【図２】本発明に係る多用途水筒の構成を示した斜視図である。
【図３】本発明に係る多用途水筒のふたの構成を分解して示す分解斜視図である。
【図４】本発明に係る多用途水筒に第１種類水筒が収容された状態を示す断面例示図である。
【図５】本発明に係る多用途水筒に第２種類水筒が収容された状態を示す断面例示図である。
【発明を実施するための形態】
【００１９】
本発明を十分に理解するために本発明の好適な実施形態を添付図面を参照して説明する。本発明の実施形態は様々な形態に変形され、本発明の範囲が以下で詳説する実施形態で限定されるものと解釈されることはない。本実施形態は、当業界で平均的な知識を有する者に本発明をより完全に説明するために提供される。したがって、図面における要素の形状などはより明確な説明を強調するために誇張されて表現されてもよい。各図面で同一の部材は同一の参照符号に示す場合があることを留意しなければならない。本発明の要旨を不要に曖昧にするものと判断される公知機能及び構成に対する詳細な技術は省略される。
【００２０】
図２は、本発明に係る多用途水筒１００の構成を示した斜視図であり、図３は、多用途水筒１００のふた１２０の構成を分解して示す分解斜視図である。
【００２１】
図に示すように本発明に係る多用途水筒１００は、内部に液体又は他の種類のボトル（図１に示す２０、３０）が収容される水筒本体１１０と、水筒本体１１０の上部に結合して水筒本体１１０内の液体を外部に排出するふた１２０を含む。
【００２２】
水筒本体１１０は、上部が開放された円筒状の形成されて内部に液体又は他の種類のボトル２０，３０が収容される。水筒本体１１０は水や飲み物のような液体が収容され得る。ユーザは、本人が所望する飲み物又は水を内部に充填して水筒本体１１０を携帯し得る。
【００２３】
また、図４及び図５に示すように、水筒本体１１０の内部に第１種類ボトル２０又は第２種類ボトル３０を収容して使用し得る。ここで、第１種類ボトル２０は、ミネラルウォーターボトル又はミネラルウォーターボトルと同じサイズの第１排出口２０ａを有する種類のボトルであり得る。第１種類ボトル２０は、５００ｍｌ容量のミネラルウォーターボトルを基準として第１種類ふた２１の直径が３０ｍｍである。ミネラルウォーターボトルだけではなく、同じ直径の第１種類ふた２１を使用するコーラボトル、サイダーボトル、ジュースボトルなどであり得る。
【００２４】
第２種類ボトル３０は、スポーツドリンクボトル又はスポーツドリンクボトルと同じサイズの第２排出口３０ａを有す種類のボトルであり得る。第２種類ボトル３０は、６００ｍｌ容量のパワーエイドボトルであってもよい。ここで、第２種類ふた３１の直径は、第１種類ふた２１の直径である３０ｍｍよりも大きく形成される。
【００２５】
水筒本体１１０は、第１種類ボトル２０と第２種類ボトル３０が収容され得るサイズで備えられる。そのために、水筒本体１１０の上部に形成された開口は第１種類ボトル２０と第２種類ボトル３０の直径よりも大きい直径ｒを有するように形成されている。水筒本体１１０は、第１種類ボトル２０と第２種類ボトル３０を容易に挿入できるように下部から上部まで直径がほとんど同一の形態に形成される。
【００２６】
また、水筒本体１１０の高さｈは、第１種類ボトル２０及び第２種類ボトル３０の高さよりも一定の高さ長く形成される。
【００２７】
水筒本体１１０の上部には、ふた１２０が結合されるふた結合管１１１が一定の長さで形成されている。ふた結合管１１１は、ふた１２０の本体結合管１２１の内壁面に挿入されているため、水筒本体１１０に比べて一定の厚さ段差があるよう形成される。ふた結合管１１１の外壁面には、第１ネジ山１１３が形成されている。第１ネジ山１１３は、ふた１２０の本体結合管１２１の内壁面に形成された第２ネジ山１２１ａと螺合されている。
【００２８】
ここで、水筒本体１１０は、サイクルのようにスポーツ活動時にユーザが水筒本体１１０を直接把持できない場合、水筒本体１１０を固定するためのホルダ（図示せず）のサイズに対応するよう備えられることができる。
【００２９】
ふた１２０は、水筒本体１１０だけではなく、第１種類ボトル２０及び第２種類ボトル３０に互換されるように結合して、水筒本体１１０に収容された液体、第１種類ボトル２０に収容された第１補助液体、第２種類ボトル３０に収容された第２補助液体が外部に排出されるようにする。
【００３０】
図３及び図４に示すように、ふた１２０は、水筒本体１１０の上部ふた結合管１１１に螺合される本体結合管１２１と、本体結合管１２１の上部と水平に配置される排出管結合面１２１ｂと、排出管結合面１２１ｂに垂直に形成されて内部液体を外部に排出させる液体排出管１２３を含む。
【００３１】
また、ふた１２０は、本体結合管１２１の内部に同心円状に形成される内部結合管１２５及び中間結合管１２７を含んでいる。内部結合管１２５は第１種類ボトル２０の第１排出口２０ａと螺合し、中間結合管１２７は第２種類ボトル３０の第２排出口３０ａと螺合される。
【００３２】
ここで、内部結合管１２５は、図１に示された第１種類ボトル２０の第１ふた２１のサイズ及び形状に対応するよう形成され、中間結合管１２７は図１に示された第２種類ボトル３０の第２ふた３１のサイズ及び形状に対応するよう形成される。
【００３３】
本体結合管１２１の内壁面にはふた結合管１１１の第１ネジ山１１３と螺合される第２ネジ山１２１ａが形成されている。第１ネジ山１１３と第２ネジ山１２１ａは雌ネジ山又は雄ネジ山であってもよい。
【００３４】
排出管結合面１２１ｂは、本体結合管１２１の上部と水平に一定の面積形成される。排出管結合面１２１ｂの中間領域には液体排出管１２３が形成されている。液体排出管１２３は、排出管結合面１２１ｂを貫通して上下に一定の長さ形成されている。液体排出管１２３の下端部１２３ｂは、内部結合管１２５の内部に延長形成される。
【００３５】
液体排出管１２３の上端部１２３ａには、十字型スリット又は開閉されるキャップがあり、ユーザが口にして吸入すると、吸入圧力により下端部１２３ｂを介して液体が液体排出管１２３を通して外部に排出される。
【００３６】
内部結合管１２５は、本体結合管１２１の排出管結合面１２１ｂの下面に固定される。内部結合管１２５は、円筒管の形態に形成されて内壁面に第１種類ボトル２０の第１排出口２０ａに形成された第４ネジ山（図示せず）に結合される第３ネジ山１２５ａが形成されている。内部結合管１２５の上面には液体を液体排出管１２３にガイドする上部排出口１２５ｄが貫通形成された本体結合面１２５ｂが一定の面積形成されている。本体結合面１２５ｂは、熱融着又は超音波融着などの方法に基づいて排出管結合面１２１ｂの下面に固定される。
【００３７】
内部結合管１２５の下部の下部結合端１２５ｃは、中間結合管１２７の結合管結合面１２７ｂに固定される。これによって、内部結合管１２５と中間結合管１２７は、階段式に上下に段差があるよう配置される。これによって、第２種類ボトル３０が中間結合管１２７に結合されるとき、内部結合管１２５からの干渉を受けることがない。
【００３８】
中間結合管１２７は、内部結合管１２５と本体結合管１２１との間に配置される。中間結合管１２７は内部結合管１２５の下部に結合されるため、図３に示すように本体結合管１２１の下部に露出される。
【００３９】
中間結合管１２７の内壁面には、第２種類ボトル３０の第２排出口３０ａに形成された第６ネジ山（図示せず）に螺合される第５ネジ山１２７ａが形成されている。中間結合管１２７の上部には結合管結合面１２７ｂが一定の面積形成され、内部に下部排出口１２７ｃが貫通形成されて液体を液体排出管１２３にガイドする。
【００４０】
このような構成を有する本発明に係る多用途水筒１００の使用過程について図２ないし図５を参照して説明する。
【００４１】
本発明に係る多用途水筒１００は、サイクルのようにスポーツ活動のために決められたサイズのホルダ（図示せず）に適するように備えられる。
【００４２】
ユーザは、本人の希望に応じて、１つの多用途水筒１００を３種類の方式で利用することができる。第１の方式は、図２に示すように、多用途水筒１００の水筒本体１１０の内部に直接水又は飲み物を満たして携帯し、液体を飲用する方式である。第２の方式は、図４に示すように、多用途水筒１００の内部に第１種類ボトル２０を収容し、第１種類ボトル２０に充填された第１補助液体Ｗ１を飲用する方式である。第３の方式は、多用途水筒１００の内部に第２種類ボトル３０を収容し、第２種類ボトル３０に充填された第２補助液体Ｗ２を飲用する方式である。
【００４３】
ユーザは、初めには第１の方式で水筒本体１１０の内部に充填された液体を飲用し、当該の液体を全て飲用した場合には第１種類ボトル２０又は第２種類ボトル３０を購入した後、水筒本体１１０の内部に収容して使用し得る。
【００４４】
ここで、第１種類ボトル２０に結合していた第１ふた２１は除去し、本発明の内部結合管１２５に結合して使用し得る。同じ方式で、第２種類ボトル３０に結合していた第２ふた３１は除去し、本発明の中間結合管１２７に結合して使用することができる。
【００４５】
具体的に、第１種類ボトル２０を本発明の多用途水筒１００に結合して使用する場合、図４に示すように、ユーザは第１種類ボトル２０の上部に本発明のふた１２０を結合する。そのため、第１種類ボトル２０の第１排出口２０ａを内部結合管１２５の第３ネジ山１２５ａに螺合する。
【００４６】
ふた１２０が結合された第１種類ボトル２０を水筒本体１１０の内部に挿入し、ふた結合管１１１の第１ネジ山１１３を本体結合管１２１の第２ネジ山１２１ａと結合して多用途水筒１００を密閉する。
【００４７】
この状態で、ユーザはサイクルに固定されたホルダ（図示せず）に多用途水筒１００を固定して運動を楽しむことができる。運動中にのどが渇く場合、ユーザは、多用途水筒１００をホルダ（図示せず）から分離して液体排出管１２３の上端部１２３ａを口にして吸入して第１補助液体Ｗ１を飲用できる。
【００４８】
これにより、既存に水筒本体１１０の内部に残留している液体と第１補助液体Ｗ１が混合することなく、第１補助液体Ｗ１の固有の味を感じることができる。
【００４９】
一方、ユーザが第２種類ボトル３０を購入した場合、図５に示すように、第２種類ボトル３０の上部に本発明のふた１２０を結合する。そのため、第２種類ボトル３０の第２排出口３０ａを中間結合管１２７の第５ネジ山１２７ａに結合する。そして、第２種類ボトル３０を水筒本体１１０の内部に挿入して使用する。
【００５０】
以上で説明したように、本発明に係る多用途水筒は、水筒本体の内部に収容された液体をユーザが飲用できるだけではなく、他の種類の液体が収容された第１種類ボトル又は第２種類ボトルを内部に収容して飲用することができる。
【００５１】
ここで、１つのふたが第１種類ボトルと第２種類ボトルに全て結合され得るため、その使用が手軽である。また、水筒本体の内部に第１種類ボトルと第２種類ボトルを収容して保管できることから、既存に水筒本体の内部に残留している液体と第１種類ボトルと第２種類ボトルの補助液体が混合しないことから、衛生的に保管することができる。
【００５２】
また、サイクルのようにスポーツ活動をする場合、ホルダに適するよう製造された多用途水筒の内部にサイズの異なる第１種類ボトルと第２種類ボトルが収容されるため、ユーザは安定的に運動しながら様々な種類の飲み物を飲用することができる。
【００５３】
以上述した本発明の多用途水筒の実施形態は例示的なものに過ぎず、本発明が属する技術分野の通常の知識を有する者であれば、これから様々な変形及び均等な他実施形態が可能である点が周知であるだろう。したがって、本発明は、前記の詳細な説明で言及される形態でのみ限定されないことをよく理解できるのであろう。したがって、本発明の技術的な保護範囲は、添付された特許請求の範囲の技術的な思想によって定められなければならない。また、本発明は、添付された請求範囲によって定義される本発明の精神とその範囲内にある全ての変形物と均等物及び代替物を含むものとして理解されなければならない。
【００５４】
例えば、本発明の水筒は、内部に入口の小さい第１種類ボトルのみを（例えば、入口の小さい飲料ボトル、ミネラルウォーターボトルなど）装着及び分離できるように構成されてもよく、又は、内部に入口の大きい第２種類ボトルのみを（例えば、ゲータレードドリンクボトル、入口が大きい他のドリンクボトルなど）装着及び分離できるように構成されてもよい。
【産業上の利用可能性】
【００５５】
本発明は多用途水筒に関し、スポーツ用容器の製造及び流通産業分野に有効に適用できる。
【要約】
本発明は、多用途水筒に関し、液体が収容される収容空間が形成された水筒本体と、前記水筒本体の上部に結合して前記液体を外部に排出させるふたとを含み、前記ふたは、前記水筒本体上部のふた結合管と結合される本体結合管と、前記本体結合管の上部に設けられ、前記液体を外部に排出させる液体排出管と、前記本体結合管の内部に設けられ、前記水筒本体の収容空間に収容される第１種類水筒の第１排出口に結合し、前記第１種類水筒に収容された第１補助液体を前記液体排出管にガイドする内部結合管とを含むことを特徴とする。【図１】
0006339301.tif 000002
【図２】
0006339301.tif 000003
【図３】
0006339301.tif 000004
【図４】
0006339301.tif 000005
【図５】
0006339301.tif 000006